(57)【要約】この蓋体（１）は、互いにテーパをなす二つの楔面によって前側楔端部に形成されたリップ部分を有し、該リップ部分が薄くなった箇所（１４）を挟んで一体となって閉じられており、リップに連結されている楔形の中空の容器口（２）と、この楔形の容器口（２）の上に被せたキャップ（３）で構成される。キャップ（３）を被せた状態においては、キャップ（３）内側の形状によって、楔形の容器口（２）の前方部位はストレスがかかっていないときの通常位置に対して、上から見て時計回り方向に少なくとも約５度捻られた状態で保持されている。キャップ（３）をこの閉じた位置から、上から見て反時計回り方向に捻ると、容器口（２）のエッジ部分前方がキャップ（３）の内側に形成された押圧面によって、その直径に亘って相互に対向する部位にのみ力がかかり、キャップ（３）内側エッジ近傍の残りの部分は空間となった領域を向いている。【選択図】    図２７
2009534263.tif 000002
【特許請求の範囲】
【請求項１】
互いにテーパをなす二つの楔面によって前側楔端部に形成されたリップ部分であって、薄くなった箇所（１４）を介して一体となって連結されて閉鎖したリップを形成しているリップ部分を有する楔形の中空の容器口（２）とこの楔形の容器口（２）の上に被せるキャップ（３）で構成した、密封される容器口（２）とそれを開けるキャップ（３）を具える蓋体（１）において、キャップ（３）を被せた状態で、キャップ（３）内側形状によって、前記楔形の容器口（２）の前方部分が、ストレスが掛かっていない通常位置に対して、上から見て時計回り方向に少なくとも５度ねじられた状態で保持されており、キャップ（３）をこの閉じた位置から回転させたときに、キャップ（３）の内側に形成された押圧面（６）によって前記容器口（２）のエッジ部分前方が、上から見たときに反時計回り方向に、直径を挟んで相互に対向する部位でのみ作用して、このエッジ部分近傍の残りの部分（７）は、キャップ（３）内の自由空間に向いていることを特徴とする蓋体。
【請求項２】
互いにテーパをなす二つの楔面によって前側楔端部に形成されたリップ部分であって、薄くなった箇所（１４）を挟んで一体となって連結されて閉鎖したリップを形成しているリップ部分を有する楔形の中空の容器口（２）と、この楔形の容器口（２）の上に被せるキャップ（３）で構成した、密封される容器口（２）とそれを開けるキャップを具える蓋体において、互いにテーパをなすように形成された二つのエッジで構成されたリップ部分が一体的に連結されて、前方楔形エッジに対してへこんでいる薄くなった箇所（１４）を介して閉じているリップを形成しており、この楔形の容器口（２）に被せるキャップ（３）がその内側に開栓刃（１２）を具え、この刃が二つのリップ部分間の薄くなった箇所（１４）に至るまで食い込むことで、閉じた位置から上から見て反時計方向にキャップ（３）を回転させた時に、前記開栓刃（１２）がねじれることによってリップ部分を押して薄くなった箇所（１４）で破断し、リップを開けることを特徴とする蓋体。
【請求項３】
請求項１に記載の密封された容器口とそれを開けるためのキャップを具える蓋体において、キャップ（３）の内側が、上から見て反時計回り方向に回転させたときに、それぞれ前側ようきにおいて、周辺容器口に対して押圧面（６）を形成し、この押圧面（６）はその前半部（前方＝Ｖ）が、キャップ先端内側の長穴状端部の中間線（Ｍ）に延在しているのに対して、押圧面（６）の後側（後＝Ｈ）は、面（７）につながっており、内側容器口（２）に対して空間を残すように形成されていることを特徴とする蓋体。
【請求項４】
請求項２に記載の密封された容器口とそれを開けるためのキャップを具える蓋体において、薄くなった箇所（１４）の上方でリップ間に係合する開栓刃（１２）の長さは、リップの薄くなった箇所（１４）の長さの３分の１から３分の２の間であり、当該開栓刃（１２）は前記薄くなった箇所の長さに対して中央部に位置するように配置されていることを特徴とする蓋体。
【請求項５】
請求項１乃至４のいずれか１項に記載の密封された容器口とそれを開けるためのキャップを具える蓋体において、容器口（２）とキャップ（３）がは、フィルム蝶番（２８）を介して相互に連結されて一体に製造され、当該フィルム蝶番（２８）は薄くなった箇所（３２、３３）を挟んで容器口（２）とキャップ（３）に全体的に連結されるか、あるいは幾つかのブリッジ材を介して容器口（２）とキャップ（３）に連結されており、当該蝶番が全体として切り離されるか、あるいは、その蝶番軸方向に延在する連続領域 （３８）であって、薄くなった箇所もしくは予め決められた切離し部として機能する幾つかの特定のブリッジ材（３６）を介して蝶番から切り離すことが可能である、連続領域を具えることを特徴とする蓋体。
【請求項６】
請求項５に記載の密封された容器口とそれを開けるためのキャップを具える蓋体において、前記フィルム蝶番（２８）もしくはその切り離し可能な領域（３８）に、前記蝶番の少なくとも一方の側にグリップ片（２９）を設けたことを特徴とする蓋体。
【請求項７】
請求項１乃至６のいずれか１項に記載の密封された容器口とそれを開けるためのキャップを具える蓋体において、低密度ポリエチレンＬＤＰＥでできた容器口（２）が二次射出コンポーネントとなって容器口台座に射出成形されるのに対して、蓋体は実際の容器口（２）を除いてポリプロピレンで一体的に製造されていることを特徴とする蓋体。
【請求項８】
請求項１乃至７のいずれか１項に記載の密封された容器口とそれを開けるためのキャップを具える蓋体において、一方は容器口台座の上、他方はキャップ（３）の下縁に、初回開栓保障として相互に係合する嵌合エレメント（２０、２１）が射出成形されており、キャップ（３）を容器口（２）に初めて被せる際に嵌合し、一方の嵌合エレメント（２０）が、所定の切離し部分として設計されたブリッジ材（２４）を介してのみ、前記容器口台座又は前記キャップ（３）の下縁へ連結されていることを特徴とする蓋体。
【請求項９】
請求項１乃至８のいずれか１項に記載の密封された容器口とそれを開けるためのキャップを具える蓋体において、容器口台座近傍の容器口（２）の両側にはそれぞれ一のストッパ突起（２３）が容器口に一体的に形成されており、キャップ（３）の下縁近傍の両側にそれぞれ一の切欠き（４４）が設けられており、当該切欠きには前記下縁から上に向かって内側へ上がるスライド溝（４３、４７）が延在しており、キャップ（３）を容器口（２）に被せる際に前記ストッパ突起（２３）がスライド溝（４３）を摺動して切欠き（４４）に嵌まり、更に、切欠き（４４）の上方は湾曲形状の縁（４５）で仕切られた拡大部となっており、キャップ（３）を反時計回り方向に回すと、当該拡大部はその湾曲した形状の縁（４５）でストッパ突起（２３）の上面に案内され、ストッパ突起（２３）の上に押し上げられて、キャップ（３）が容器口（２）から上側へ持ち上げられることを特徴とする。
【請求項１０】
請求項１乃至９のいずれか１項に記載の密封された容器口とそれを開けるためのキャップを具える蓋体において、容器口（２）の側面の容器口台座近傍にネジ状リブ（３０、３７）が一体的に形成されて、キャップ（３）の内側のネジ状リブ（３１、４０）と共働して、上から見て反時計回り方向にキャップ（３）を回すと、キャップ（３）が持ち上がることを特徴とする蓋体。
【請求項１１】
請求項１乃至１０のいずれか１項に記載の密封された容器口とそれを開けるためのキャップを具える蓋体において、初回開栓保障として、少なくとも一の閉鎖子（４８）がキャップ（３）に一体的に形成されており、該閉鎖子は切欠き（４４）の中へ突出しており、その根元において薄くなった箇所（５０）を介して切欠き（４４）の縁と連結されており、反対側端部は切離し部分として機能するブリッジ材（４９）を介して切欠き（４４）当該縁と連結しており、該閉鎖子がキャップ（３）を捻ることによってブリッジ材を破断して、外れることを特徴とする蓋体。
【発明の詳細な説明】
【技術分野】
【０００１】
本発明は、密封された容器口と初回開栓用カバーキャップを具える蓋体に関する。ここでは、飲み口としてあるいはまた単純な注ぎ口としての密封された容器口の初回開栓が重要な意味を持つ。
【０００２】
このような蓋体は様々な形で公知である。欧州特許第１０８４０６２号は基本的なタイプの蓋体を示している。しかしながら、ここに開示されている手段は、実際は開栓するのに信頼できるものでないことは明らかである。すなわちこの容器口は全面に亘って軽く反った薄板のエッジを持つ中空状の楔形をしている。楔形の面が集まっている前方部分では閉じられたリップが形成されており、それぞれ外へ向かう楔形の面もしくはこの面の前端が、双方のリップ部分を形成している。この二つのリップ部分は、最初は薄くなった箇所を挟んで一体的に連結されている。容器口全体は弾性のある変形可能な材質でできれており、望ましくは、例えば低密度ポリエチレン（LDPE）などの弾性材で作られている。この容器口は、例えばポリプロピレンなどの硬質材料でできたキャップによって閉鎖されている。キャップを容器口の上に被せてこれをスッポリと覆っている。取り外すには、上から見て反時計回り方向に回して、キャップをひねることによって楔形のリップの最も上側部分がねじれて、結果的にリップが開く。しかし、実際には、この開蓋は信頼性が無く満足の行くようなものではない。更に、このような容器口と付属するキャップからなる蓋体は、常に二つの別部品から作られる。すなわち、容器口は射出成形品であり、付属するキャップは別ものである。これは組み立てが複雑であり、相応にコストがかかる。
【０００３】
従って、本発明の課題は、密封された容器口とこれを開けるためのカバーキャップを具え、容器口のリップの初回開栓が信頼性をもって行われるる蓋体を提供することである。更に、本発明の課題の一つは、容器口のリップの信頼に足る初回開栓のために、一部射出成型品としての改良型を製造することである。
【０００４】
この課題は、密封された容器口とこれを開けるためのキャップを具える蓋体であって、互いにテーパをなす二つの楔面によって前側楔端部に形成されたリップ部分を具え、このリップ部分が薄くなった箇所（１４）を挟んで一体に連結されて閉じている楔形の中空の容器口（２）と、この楔形の容器口（２）の上に被せたキャップ（３）で構成されており、キャップ（３）を被せた状態においては、キャップの内側形状によって、楔形の容器口（２）の前側領域がテンションが掛っていないときの通常位置に対して容器口（２）の前側楔端部領域が上から見たときに時計回り方向に少なくとも５度ねじれた状態で保持され、カバーキャップ（３）をこの閉じた位置から回転させると、容器口（２）の前側楔端部領域が、キャップ（３）の内側に突出形成された押圧面によって、上から見て反時計回り方向にねじられ、直径を挟んで相互に対向する部位のみで作用するが、エッジ近傍の残りの部分はキャップ（３）内側の空間に向いていることを特徴とする蓋体によって達成される。
【０００５】
図１は、密封された容器口とその上に装着されたキャップ３を具える蓋体１全体を側面から見た状態で示す。ここではキャップ３を側面から捉えており、二つのグリップ耳４６の一方が看者側を向いている。このグリップ耳４６によって抵抗に打ち勝ってキャップ３を容易に回すことができる。下側には台座４２が見えており、その上にキャップ３が載って、その中に容器口が立っている。キャップ１の外側に付された矢印によってキャップ１を開ける方向を示しており、これは上から見ると反時計回り方向である。キャップ１の下縁には切欠き４４が見られ、これは容器口に設けられた突起２３を受けている。キャップ１の反対側にこのようなストッパ突起が見られる。この切欠きの上側は湾曲した縁４５によって仕切られている。更に、キャップ下縁にはスライド溝４３の外面が見える。キャップ１を被せる際には、ストッパ突起２３がキャップ１の内側でスライド溝４３を通って先ず上側にスライドして、取り外す際には隣接するスライド溝４７を通ってキャップが抜ける。
【０００６】
図２は、左に容器口２を、右に付属するキャップ１を示している。容器口２の台座の上には嵌合エレメント２１が見られ、これはキャップ３の嵌合エレメント２０と係合する。更に、キャップ３の切欠き４４には上側に湾曲した仕切線となる縁４５が見える。キャップ内側から見える切欠き付近に、スライド溝４３が見え、キャップを被せるときに容器口のストッパ突起２３がここを通ってスライドする。キャップ３を容器口２に完全に被せると、ストッパー突起２３はバネエレメント２２の上側に係合する。キャップ３に見られるように、これは上方右向きに多少捩れている。これは必須であることが分かる。と云うのは、これによって柔軟な材質で射出成形された容器口２が、上から見て時計回り方向に引っ張られているのである。
【０００７】
この状態は、スタンドパウチの上に装着された蓋体を示している図３においてよりはっきり見ることができる。スタンドパウチの肩部は長手方向ｚ−ｚ軸４に延びているが、キャップの上エッジのｙ−ｙ軸５はｚ−ｚ軸４に対して約５度の角度で右に捻じれている。図４にはキャップをはずした状態のスタンドパウチ上の蓋体が描かれている。この容器口の二つのリップ部分は薄くなった箇所を挟んで閉じている。加えて、ここでは、容器口のリップのｘ−ｘ軸８はｚ−ｚ軸４と平行であるのに対して、キャップ３のｙ−ｙ軸５は５度の角度でオフセットしていることがわかる。従って、キャップ３を被せる際に容器口の上の方の部分がリップと共にｙ−ｙ軸方向に力を受け、それによってリップが引っ張られている。更に、キャップの内側は次のように形成され、構成されている。すなわちキャップを閉じた位置から回転させて、上から見て反時計回り方向にねじると、容器口のエッジ部分前方のみがキャップの内側に有る押圧面によって直径上相互に向き合った位置で作用し、エッジ近傍の残りの部分はキャップ内部の空間に対向するようになる。この手段はリップを確実に開くうえで極めて重要であることが証明されている。これら特徴が備わっている場合にのみ、薄くなった箇所が破断してリップが開く。開栓は以下のようにして行う。先ず二つの部分を具えるリップの双方の端部で、容器口のジオメトリとキャップの内部形状に基づいて薄くなった箇所を開き、そこでリップが弓状になる。図５では、キャップ３を被せた容器口２を前から見た状態を示しており、図６は、キャップ３をかぶせた状態の側面を示しており、キャップ３の外郭線が大まかに示されている。ここでもキャップ３の上縁の捻じれが明らかである。
【０００８】
図７は、容器口でのリップの開栓を３つの観点から示している。先ず、キャップを反時計回り方向に捻ると、図７ａに示すように、容器口は両側の領域６において側方に押し付けられて、回転する。この押圧面６は外向きに広がりながらリップ端部に向かって延びるように形成されている。矢印で示すようにキャップを更に回転させることによって、図７ｂに示すように、薄くなった箇所が先ずその両方の端部で破断する。そしてそれぞれの押圧面６に対向しているリップ部分が、外側に向かって曲がった弓状部分１０を形成する。キャップ３内部では、対応してオフセットした面７によって内側面に必要な空間が形成される。これは大変に重要である。キャップ３が更に回転する間に、薄くなった箇所がさらに破断して、リップが完全に開く。これは、すなわち図７ｃに示すように、薄くなった箇所の両側終端部９まで開くことを意味する。
【０００９】
図８では、被せたキャップの作用面と、蓋体を開ける動作でのキャップを捻るときの作用面を示す、キャップの内側形状の模式図である。キャップの内側は、上から見て反時計回り方向の回転すると、それぞれ、前側領域において、周辺容器口に対する押圧面６が形成される。この押圧面６はその前半分（前側＝Ｖ）で、キャップ先端内側の長穴状端部の中央線（Ｍ）に向けて延びているのに対して、押圧面６の後側領域（後側＝Ｈ）では平面７に繋がっており、内側の容器口に対して空間を作るように形成されている。
【００１０】
図９は容器口の断面を示しており、これは弾性のある柔軟な材質で作られているので、容器の開口部に嵌合可能である。嵌合用の肩部１７を具えており、この肩部１７に続く下側に突出した縁の内側に玉縁１８を設けて、これによって容器口を容器開口部に嵌めることができる。実際の容器口１６の下端には密閉リングが形成されている。特別な構成として、この容器口１６の薄くなった箇所１４が、楔エッジ内に後退しており、その結果、この薄くなった箇所１４の上にスロット１３を形成してもよい。この薄くなった箇所１４は、図１０に示すように、キャップ内側に形成された開栓刃１２によって切開かれるようになっている。図１１は、容器口の先端を薄くなった箇所１４を開栓刃１２を具える付属のキャップと共に示す長手方向断面図である。
【００１１】
図１２は、容器口の先端および開栓刃の上から見た状態を示しており、開栓動作をキャップの回転動作に応じてａ、ｂ、ｃの３つの段階で示す。図に示すように、薄くなった箇所１４上側のスロット１３で開栓刃が回り、これによって破断する。元々薄くなっている箇所で位置１５に力が作用し、双方のリップ部分が相互に押し開けられるが、剪断力も作用してリップ部分を長手方向において互いに対して変位させる。薄くなった箇所の上のリップ間に食い込む開栓刃１２の長さは、リップの薄くなった箇所１４の長さの三分の１から三分の２であり、開栓刃として機能する有効長として見たとき、薄くなった箇所の全長における中央に位置するように配置される。
【００１２】
図１３は、キャップ付容器口の長手方向断面図であり、隣に、初回開栓保障のためのエレメントが拡大して示されている。これらはキャップの下側に小さなブリッジ材２４を介して一体的に形成された嵌合エレメント２０である。これに嵌合する対向片２１が容器口の肩部に形成されている。まずキャップを容器口に被せて押圧すると、この二つの嵌合エレメント２０、２１が相互に嵌合する。それ以降は、ブリッジ材２４を破断させるほどに強い力でキャップを捻ることでのみキャップを取り外すことができる。図１４は、図１３のキャップ付容器口の断面図を示す。台座はスタンドパウチに溶着するのに適した形をしている。
【００１３】
図１５は、図１３に示すキャップ付きの容器口を上から見た状態を示す。ここでも、張力がかかっていない形状の内側容器口のリップに対する、キャップの上側端のひねりが見られる。図１６は、図１３に示す容器口を示す斜視図であり、図１７は、付属するキャップを示す。図１７では、キャップを容器口に被せた時に切欠き４４の内側に突出して、ストッパ突起２３の受け側となるバネエレメント２２が見られる。ストッパ突起２３はスライド溝４３を通ってスライドし、キャップが外れる時には、隣接するスライド溝４７を通る。
【００１４】
一変形例では、この蓋体は一体成形品として射出成形が可能である。このことが図１９に第一の解決法として示されている。ここでは、容器口とキャップが、同一の弾性のある柔軟な素材で一緒に射出成形しており、U字型断面を持ち端部にグリップ片２９を具える蝶番バンド２８で連結されている。ここに示す実施例では、内周に内ネジ２５を具えるキャップ２６に容器口が一体的に形成されており、容器口の外側には、キャップ内面のネジ状リブ３１と噛合したネジ付リブが見られ、これはキャップを緩めると幾らか持ち上がる。図１８に示す状態は射出成形時のものである。射出成形後にキャップを容器口に向かって曲げてその上に被せる。容器口のリップが閉じられている状態で開栓するには、先ず蝶番バンドを取除いて、その後にキャップを容器口に対して捻り、これがリップの薄くなった箇所を開けるように作用する。
【００１５】
図１８に示す蓋体を上から見た状態を示す。ここではキャップの上縁が延在する方向が、容器口のリップが延在する方向に対して鋭角を成している。蝶番バンドは薄くなった箇所３２、３３を介してキャップと容器口を連結しており、グリップ片２９を掴むことによってこの部分から取り去ることが可能である。図２０は、図１８の蓋体を閉じた状態を背面から見た図であり、蝶番バンド２８の薄くなった箇所３２、３３の両側とグリップ片２９を見ることができる。図２１は、キャップを開いた状態にある蓋体を斜視図で示す。
【００１６】
図２２は、蓋体の別のバリエーションを示す図であり、ここではキャップが分離可能な蝶番バンドを介して蓋体と一体に連結されている。ここで蝶番バンドは破断可能な中間部分３８を具える。この部分は、両面が薄くなった箇所を介してのみ、あるいは多数の細かいブリッジ材を介して、蝶番外側部分と連結されている。これは図２３で最も良く見ることができ、ここでは蓋体を上から見た状態で示している。蝶番バンドは、曲線３４、３５に沿って蓋体とキャップに連結している。中間部分３８は細かいブリッジ材３６のみを介して保持されており、従ってグリップ片の部分を持って蝶番バンドから引き千切ることによって切り離すことができる。ここでも、キャップの上縁と容器口のリップの異なる延在方向が見て取れる。両部分にネジ状リブ３７、４０があり、前もって容器口に被せてあるネジ状リブ付きキャップを緩める際に機能する。
【００１７】
図２４は、この蓋体を閉じた状態を背面から見た様子を示しており、図２５はキャップを開けた状態の蓋体を斜視図で示している。更なるバリエーションにおいては、キャップと容器口台座を分離可能あるいは破断可能な蝶番バンドを介してポリプロピレンで単体として作り、一方で、容器口台座に低密度ポリエチレンＬＤＰＥ製容器口を第二の射出成形コンポーネントに射出成形することによって、蓋体を一体成形することができる。
【００１８】
この蓋体は様々な容器用に設計することができる。幾つかの実施例を以下に示して説明する。図２６は、容器の口や瓶の口の蓋として適用する場合の、キャップ用の安全装置の付いた蓋体をキャップと共に示している。容器口の台座は、内側のネジ切りあるいは内側の膨らみによって容器口にネジ込む、あるいは押込むキャップとして設計されており、図２７は、キャップを持ち上げた状態のこの蓋体を示す図である。図２８は、容器口や瓶口用の押込み蓋体として適用する場合の、キャップの安全装置が付いた蓋体をキャップを取り付けた状態で示す。この蓋体は、底部が中空であるか、ニップルが付いたパッキンとして設計された台座の上に座しており、容器開口部に押し込み可能である。図２９はこの蓋体を、キャップを外した状態で示している。最後に図３０に、これらが装着可能な様々な容器やパック類を示す。
【００１９】
図３１ａ乃至３１ｃは、初回開栓保障を提供する更なる保障手段とその作用を示す図である。キャップ３には閉鎖子４８が一体的に形成されていて、切欠き４４の中に突出している。それぞれの閉鎖子４８は根元側で薄くなった箇所５０を介して切欠き４４の縁に連結されており、これに対向する端部は破断部位として作用するブリッジ材４９を介して切欠き４４の縁に連結されている。キャップ３を開蓋体方向に捻ると、注ぎ口のストッパ突起２３が閉鎖子４８の上で作用して、これによってブリッジ材が破断して閉鎖子４８が下向きに倒れる。これによってキャップ３が更に回転して引き離される。この閉鎖子４８は外から見えるため初回開栓保障を提供することになる。
【図面の簡単な説明】
【００２０】
本発明による密封された容器口とこれを開けるためのキャップを具える蓋体の様々な実施例が図面に示されている。以下において、これらの実施例とその機能を解説する。
【図１】図１は、密封された容器口とその上に装着したキャップを側面から見た図である。
【図２】図２は、容器口およびキャップを並べて別々に示す図である。
【図３】図３は、スタンドパウチに装着して、密封した蓋体を示す図である。
【図４】図４は、スタンドパウチに装着した蓋体のキャップをはずした状態を示す図である。
【図５】図５は、キャップを被せた容器口を前から見た断面を示す図である。
【図６】図６は、キャップを被せた容器口を側面から見た断面を、キャップの輪郭と共に示す図である。
【図７】図７は、容器口を上から見た図であり、キャップの回る動きをａ、ｂ、ｃの３つのフェーズで示す。
【図８】図８は、キャップの内部構造の模式図であり、被せたキャップの作用面と開栓行程でキャップが捻じれる際の作用面を示す。
【図９】図９は、容器口の断面であり、エッジ上の薄くなった箇所が元に戻っている状を示す。
【図１０】図１０は、図９に示す容器口の先端部の断面を付属する開栓刃付きのキャップと共に示す図である。
【図１１】図１１は、図９に示す容器口の先端部の長手方向断面を付属する開栓刃付きのキャップと共に示す図である。
【図１２】図１２は、容器口の先端部と開栓刃を上から見た図であり、キャップが回る動きをａ、ｂ、ｃの３つのフェーズで示す。
【図１３】図１３は、容器口とキャップを長手方向の断面で示す図であり、初回開栓保障のための部材を拡大して示す。
【図１４】図１４は、第１３図による容器口とキャップを断面で示す図である。
【図１５】図１５は、第１３図に示す容器口とキャップを上から見た図である。
【図１６】図１６は、図１３に示す容器口の斜視図である。
【図１７】図１７は、図１３に示す容器口へのキャップの斜視図である。
【図１８】図１８は、破断可能な蝶番に介して容器口に一体的に連結したキャップを具える蓋体の断面を示す図である。
【図１９】図１９は、図１８に示す蓋体を上から見た図である。
【図２０】図２０は、図１８に示す蓋体を閉じた状態で後ろから見た図である。
【図２１】図２１は、図１８に示す蓋体のキャップを開けた状態で示す斜視図である。
【図２２】図２２は、分離可能な蝶番バンドによって容器口に一体的に連結したキャップを具える蓋体の断面を示す図である。
【図２３】図２３は、図２２に示す蓋体を上から見た図である。
【図２４】図２４は、図２２に示す蓋体を閉じた状態で後ろから見た図である。
【図２５】図２５は、図２２に示す蓋体を、キャップを開けた状態で示す斜視図である。
【図２６】図２６は、キャップを容器もしくは瓶の口の蓋として適用する場合のキャップ用の安全装置が付いた蓋体を示す図である。
【図２７】図２７は、図２６に示す蓋体のキャップを外した状態を示す図である。
【図２８】図２８は、キャップを容器もしくは瓶の口の押込栓として適用する場合のキャップ用の安全装置が付いた蓋体を示す図である。
【図２９】図２９は、図２８に示す蓋体のキャップを外した状態を示す図である。
【図３０】図３０は、本発明の蓋体を好適に用いることができる各種の容器あるいは樽を示す図である。
【図３１】図３１は、初回開栓保障としての第二の保障手段を示す図である。
【図１】
2009534263.tif 000003
【図２】
2009534263.tif 000004
【図３】
2009534263.tif 000005
【図４】
2009534263.tif 000006
【図５】
2009534263.tif 000007
【図６】
2009534263.tif 000008
【図７ａ）】
2009534263.tif 000009
【図７ｂ）】
2009534263.tif 000010
【図７ｃ）】
2009534263.tif 000011
【図８】
2009534263.tif 000012
【図９】
2009534263.tif 000013
【図１０】
2009534263.tif 000014
【図１１】
2009534263.tif 000015
【図１２ａ）】
2009534263.tif 000016
【図１２ｂ）】
2009534263.tif 000017
【図１２ｃ）】
2009534263.tif 000018
2009534263.tif 000019
【図１４】
2009534263.tif 000020
【図１６】
2009534263.tif 000021
【図１７】
2009534263.tif 000022
2009534263.tif 000023
【図２０】
2009534263.tif 000024
【図２１】
2009534263.tif 000025
2009534263.tif 000026
【図２４】
2009534263.tif 000027
【図２５】
2009534263.tif 000028
【図２６】
2009534263.tif 000029
【図２７】
2009534263.tif 000030
【図２８】
2009534263.tif 000031
【図２９】
2009534263.tif 000032
【図３０】
2009534263.tif 000033
【図３１ａ）】
2009534263.tif 000034
【図３１ｂ）】
2009534263.tif 000035
【図３１ｃ）】
2009534263.tif 000036
【国際調査報告】
2009534263.tif 000037
2009534263.tif 000038
2009534263.tif 000039
2009534263.tif 000040